(57)【特許請求の範囲】
【請求項１】
リング状のビードコアの外周面に断面三角状に押出成形されたフィラーゴムを立状姿勢で貼り付けてなるタイヤ用ビードの製造方法であって、
回転支持体により支持したリング状のビードコアの外周面に対し、前記フィラーゴムを立状姿勢に保持して該ビードコアの回転に合わせて巻き付けるとともに、コア外周の１周分に相当する所定長さに切断されたフィラーゴムの先端部と後端部をジョイントする際、
前記先端部近傍と後端部近傍を第１と第２の挟持手段によりそれぞれ挟持して該先端部と後端部とを前記ビードコアの外周面上で対向させることとし、前記先端部近傍を挟持する第１の挟持手段は、前記ビードコアの外周面に対する巻き付けにより回転方向後方へ傾斜する前記フィラーゴムの先端部をその傾斜に対応した方向で挟持して、該先端部を前記後端部と外縁側で間隔をあけて対向させるとともに、この対向状態から、前記フィラーゴムの外縁側ほど大きく引き延ばすように他方側に変位させることにより、前記フィラーゴムの先端部と後端部の端面同士を突き合わせてジョイントすることを特徴とするタイヤ用ビードの製造方法。
【請求項３】
リング状のビードコアの外周面に断面三角状に押出成形されたフィラーゴムを立状姿勢で貼り付けてなるタイヤ用ビードの製造方法であって、
前記ビードコアを回転支持体により内周より支持した状態において、長尺で供給される前記フィラーゴムを、前記ビードコアの外周面における貼り付け開始の基準位置に対して接線方向に立状姿勢で送り込むとともに、前記回転支持体によるビードコアの回転に合わせて巻き付けながら、前記フィラーゴムの基部両側を圧着ロールにより押圧して前記ビードコアの外周面に貼り付け、
前記フィラーゴムの先端部が前記基準位置から１周未満の所定の回転角度位置に達したときに、前記回転支持体による回転を停止して、該先端部近傍を第１の挟持手段により挟持するとともに、前記ビードコア外周の１周に相当する長さのフィラーゴムの後端部近傍を第２の挟持手段により挟持して、前記１周相当長さに切断し、
切断された前記後端部を前記第２の挟持手段により前記ビードコア外周の前記先端部と対向する位置に移動させるとともに、この対向状態から、少なくとも一方の挟持手段を他方側に変位させることにより、該フィラーゴムの先端部と後端部の端面同士を突き合わせてジョイントすることを特徴とするタイヤ用ビードの製造方法。
【請求項４】
前記フィラーゴムの先端部近傍を挟持する第１の挟持手段は、前記ビードコアの外周面に対する巻き付けにより回転方向後方へ傾斜する前記フィラーゴムの先端部をその傾斜に対応した方向で挟持し、該先端部を前記後端部と外縁側で間隔をあけて対向する状態から、前記フィラーゴムの外縁側ほど大きく引き延ばすように他方側に変位させて、前記フィラーゴムの先端部と後端部の端面同士を突き合わせる請求項３に記載のタイヤ用ビードの製造方法。
【請求項５】
前記フィラーゴムの先端部が前記基準位置から１周未満で２７０°以上の回転角度位置に達したときに、回転支持体による回転を停止して、前記フィラーゴムの先端部近傍を第１の挟持手段により挟持する請求項３又は４に記載のタイヤ用ビードの製造方法。
【請求項６】
前記フィラーゴムの先端部と後端部の端面同士を突き合わせた後、回転支持体による回転に伴って、前記フィラーゴムの後端部側の基部両側を前記圧着ロールにより押圧して前記ビードコアの外周面に貼り付けるとともに、前記突き合わせによるジョイント部を含む前記フィラーゴムを一対の挟圧ロールの間を通して両側から挟圧して整形する請求項３又は４に記載のタイヤ用ビードの製造方法。
【請求項７】
前記ビードコアとして、スチール製のワイヤを複数回巻回して形成したコア本体の外周に、繊維製シートを包被せしめたものを用いる請求項３又は４に記載のタイヤ用ビードの製造方法。
【請求項８】
リング状のビードコアの外周面に断面三角状に押出成形されたフィラーゴムを立状姿勢で貼り付けてなるタイヤ用ビードの製造装置であって、
１つずつ供給されるリング状のビードコアをその内周より支持して回転し得る回転支持体と、
断面三角状に押出成形されて長尺で供給される前記フィラーゴムを、前記回転支持体に支持されたビードコアの外周面における貼り付け開始の基準位置に対し接線方向に立状姿勢で送り込むための送り込み装置と、
前記ビードコア外周面の基準位置において、送り込まれる前記フィラーゴムの基部両側を回転支持体による回転に合わせて前記ビードコアの外周面に対し押圧して貼り付ける一対の圧着ロールと、
前記フィラーゴムの先端部が前記基準位置から１周未満の所定の回転角度位置に達して前記回転支持体による回転が停止したときに、前記ビードコアの外周面に貼り付けられたフィラーゴムの先端部近傍を両側から挟持する第１の挟持手段と、
前記送り込み装置の送り方向前方において、前記ビードコア外周の１周分に相当する長さの後端部近傍を両側から挟持する第２の挟持手段と、
前記第２の挟持手段より前記送り込み装置の側で該フィラーゴムを前記一周相当長さに切断する切断装置とを備え、
前記第２の挟持手段は、切断されたフィラーゴムの後端部近傍を挟持した状態で該後端部を前記ビードコア外周の前記先端部と対向させる位置に移動可能であり、また、前記第１の挟持手段と前記第２の挟持手段との少なくとも一方は、前記対向状態の位置から他方側へ変位可能であり、この変位作用により、前記フィラーゴムの先端部と後端部の端面同士を突き合わせてジョイントするように設けられてなることを特徴とするタイヤ用ビードの製造装置。
【請求項９】
前記フィラーゴムの先端部近傍を挟持する第１の挟持手段は、前記ビードコアの外周面に対する巻き付けにより回転方向後方側へ傾斜する前記フィラーゴムの先端部をその傾斜に対応した方向で挟持するように設けられるとともに、前記ビードコアの内周近傍の支点軸部を中心にして、前記フィラーゴムの外縁側ほど大きく引き延ばすように他方側に回動変位可能に設けられてなる請求項８に記載のタイヤ用ビードの製造装置。
【請求項１０】
前記フィラーゴムの先端部が前記基準位置から１周未満の所定の回転角度位置に達したときに、これを検知するセンサを備え、該センサによる前記先端部の検知信号に基づいて前記回転支持体の回転を停止させるように構成されてなる請求項８又は９に記載のタイヤ用ビードの製造装置。
【請求項１１】
前記フィラーゴムの先端部近傍を挟持する第１の挟持手段が、前記基準位置から１周未満で２７０°以上の回転角度位置にあり、前記回転支持体の回転停止時に、挟持動作を行って前記フィラーゴムの先端部近傍を挟持するように設けられてなる請求項８又は９に記載のタイヤ用ビードの製造装置。
【請求項１２】
前記基準位置の圧着ローラより回転方向やや前方側に、前記突き合わせジョイント部を含む前記フィラーゴムを両側より挟圧する一対の挟圧ローラが設けられてなる請求項８又は９に記載のタイヤ用ビードの製造装置。
【発明の詳細な説明】
【技術分野】
【０００１】
本発明は、ビードコアの外周面にフィラーゴムを貼り付けてなるタイヤ用ビードの製造方法及び装置に関するものである。
【背景技術】
【０００２】
タイヤは、複数のゴム部材とスチール製や合成繊維製のコードを主材とする複数の補強部材が組み合されて構成されてなるもので、タイヤ両側の内周部にはリムに対する組み付け部としてのビード部が形成されている。【０００３】
前記ビード部には、主としてスチールワイヤを円形のリング状に巻回して形成したビードコアの径方向外周面に断面三角状（主として断面縦長三角状）のビードフィラー等と称する帯状のゴム部材（以下、本発明ではフィラーゴムという）が付設されて構成されたタイヤ用ビードが埋設されている。【０００４】
従来より、前記のタイヤ用ビードＢは、図２１のように、リング状のビードコアＣの外周面に対し、断面三角状に押出し成形されたフィラーゴムＦが貼り付けられて製造されるが、前記の断面三角状のフィラーゴムＦが長尺に押出し成形されるものであるため、これを前記ビードコアＣの外周面に貼り付けるとともに、該ビードコアＣ外周の１周分に略相当する長さに切断し、切断した先端部と後端部とをジョイントするのが一般的である。【０００５】
しかしながら、例えば、図２２のように、径方向に幅を持った断面三角状の断面形状で押出し成形されたフィラーゴムＦを、リング状のビードコアＣの外周面に対し立状姿勢で巻き付けてカットし、その先端部Ｆ１と後端部Ｆ２とを突き合わせてジョイントすることとした場合、ビードコアＣに巻き付ける過程で周長が長くなるフィラーゴムＦの外縁側ほど引っ張られて先端部Ｆ１がコア外周面に対し斜めになろうとする（同図の鎖線）。そのため、斜めになる先端部Ｆ１の形状を考慮した突き合わせ方法を採らない限り、前記フィラーゴムＦをビードコアＣの外周面に対し立状姿勢に保持した状態で突き合わせてジョイントするのは難しく、また仮にジョイントしたとしても、そのジョイント部Ｊの外縁側で割れが生じ易くなる。【０００６】
そのため、近年、ビードコアに対するフィラーゴムの貼り付け方法及び装置として、種々の提案がなされている。例えば、特許文献１には、断面三角状に押出し成形された長尺のフィラーゴムを、外周面がテーパー状の傾斜面をなすフォーマ上に供給するとともに、所定長に切断した後端部をロボットハンドにより先端部に向けて移動し、後端部と先端部を重ね合うように位置決めし、該重ね合わせ部を圧着してジョイントする方法及び装置が開示されている。【０００７】
しかし、前記提案の場合、前記フォーマにおけるテーパー状の傾斜面上において、前記先端部と後端部とを重ね合わせて、該重ね合わせ部を前記フォーマの傾斜面に対し押圧してジョイントするものである。そのため、前記の重ね合わせのために余分なゴム量が必要になり、ジョイント後に整形するにしても、ゴムのはみ出しが生じることになる。特に、フィラーゴムの外縁側で充分な周長を確保するように長くした場合、フィラーゴムの基部側（コア側）ほど重なりが多くなり、重量バランスが悪くなると言った問題がある。【０００８】
また、特許文献２及び３には、ビードコアを回転させながら、断面三角状のフィラーゴムを横倒状態で供給して前記ビードコアの外周面に貼り付け、所定の角度回転したときに、フィラーゴムを所定の長さに切断し、さらに始端部と終端部とを固定板上に移動させて、先端部を固定板に押しつけて保持した状態でビードコアを逆転させ、フィラーゴムの始端部の側を引き伸ばし、始端部と終端部とをジョイントすることが開示されている。【０００９】
この場合、前記フィラーゴムは横倒状態のままでビードコアに貼り付けられかつ端部同士がジョイントされるものであり、そのため、この貼り付け後に横倒状態のフィラーゴムを径方向に起立させるのは容易でない上、タイヤ成型工程への搬送、及びタイヤ成型の障害になる虞もある。しかも、前記始端部と周端部を重ね合わせてジョイントするものであるために重量バランスが損なわれる虞がある。
【特許文献１】特開平６−２９７６０３号公報
【特許文献２】特開平８−１４２２２７号公報
【特許文献３】特開２００３−１２７２４９号公報
【発明の開示】
【発明が解決しようとする課題】
【００１０】
本発明は、上記の問題を解決するために、タイヤ用ビードの製造において、断面三角状のフィラーゴムを、ビードコアの外周面に対し立状姿勢に保持して効率よく確実に貼り付けることができるようにするものであり、特には、カットした先端部と後端部の端面同士を割れを生じさせずに確実に突き合わせてジョイントでき、ひいてはタイヤ用ビードの製造能率の向上を図ることができるタイヤ用ビードの製造方法及び製造装置を提供するものである。
【課題を解決するための手段】
【００１１】
上記の課題を解決する本発明は、リング状のビードコアの外周面に断面三角状に押出し成形されたフィラーゴムを立状姿勢で貼り付けてなるタイヤ用ビードの製造方法であって、回転支持体により支持したリング状のビードコアの外周面に対し、前記フィラーゴムを立状姿勢に保持して該ビードコアの回転に合わせて巻き付けるとともに、コア外周の１周分に相当する所定長さに切断されたフィラーゴムの先端部と後端部をジョイントする際、前記先端部近傍と後端部近傍を第１と第２の挟持手段によりそれぞれ挟持して該先端部と後端部とを前記ビードコアの外周面上で対向させるとともに、この対向状態から、少なくとも一方の挟持手段を他方側に変位させることにより、前記フィラーゴムの先端部と後端部の端面同士を突き合わせてジョイントすることを特徴とする。これにより、ビードコアの外周面に対し立状姿勢で巻き付けた前記フィラーゴムの先端部と後端部の端面同士を、立状姿勢を保持したままでの突き合わせにより確実にジョイントすることができる。【００１２】
前記のタイヤ用ビードの製造方法において、前記フィラーゴムの先端部近傍を挟持する第１の挟持手段は、前記ビードコアの外周面に対する巻き付けにより回転方向後方へ傾斜する前記フィラーゴムの先端部をその傾斜に対応した方向で挟持し、該先端部を前記後端部と外縁側で間隔をあけて対向する状態から、前記フィラーゴムの外縁側ほど大きく引き延ばすように他方側に変位させて、前記フィラーゴムの先端部と後端部の端面同士を突き合わせるものとする。これにより、先端部と後端部との突き合わせによるジョイント部の外縁側で割れを生じさせることなく、しかも、過度の重なりや過度のゴムのはみ出しを生じさせることなく確実にジョイントできる。【００１３】
また、本発明は、リング状のビードコアの外周面に断面三角状に押出し成形されたフィラーゴムを立状姿勢で貼り付けてなるタイヤ用ビードの製造方法であって、前記ビードコアを回転支持体により内周より支持した状態において、長尺で供給される前記フィラーゴムを、前記ビードコアの外周面における貼り付け開始の基準位置に対して接線方向に立状姿勢で送り込むとともに、前記回転支持体によるビードコアの回転に合わせて巻き付けながら、前記フィラーゴムの基部両側を圧着ロールにより押圧して前記ビードコアの外周面に貼り付け、前記フィラーゴムの先端部が前記基準位置から１周未満の所定の回転角度位置に達したときに、前記回転支持体による回転を停止して、該先端部近傍を第１の挟持手段により挟持するとともに、前記ビードコア外周の１周に相当する長さのフィラーゴムの後端部近傍を第２の挟持手段により挟持して、前記１周相当長さに切断し、切断された前記後端部を前記第２の挟持手段により前記ビードコア外周の前記先端部と対向する位置に移動させるとともに、この対向状態から、少なくとも一方の挟持手段を他方側に変位させることにより、該フィラーゴムの先端部と後端部の端面同士を突き合わせてジョイントすることを特徴とする。【００１４】
これにより、断面三角状のフィラーゴムをビードコア外周面に対して立状姿勢にして供給して巻き付けながら貼り付けることができ、また先端部と後端部の端面同士を突き合わせによりジョイントすることができる。【００１５】
特に、このタイヤ用ビードの製造方法においても、前記フィラーゴムの先端部近傍を挟持する第１の挟持手段は、前記ビードコアの外周面に対する巻き付けにより回転方向後方へ傾斜する前記フィラーゴムの先端部をその傾斜に対応した方向で挟持し、該先端部を前記後端部と外縁側で間隔をあけて対向する状態から、前記フィラーゴムの外縁側ほど大きく引き延ばすように他方側に変位させて、前記フィラーゴムの先端部と後端部の端面同士を突き合わせるのが好ましい。これにより、ジョイント部の外縁側で割れを生じさせることなく、また過度の重なりを生じさせることなく確実にジョイントできることになる。【００１６】
また、前記フィラーゴムの先端部が前記基準位置から１周未満で２７０°以上の回転角度位置に達したときに、回転支持体による回転を停止して、前記フィラーゴムの先端部近傍を第１の挟持手段により挟持するのが好ましい。これにより、フィラーゴムの全周を貼り付けることができ、かつ端面同士を突き合わせによりジョイントすることができる。【００１７】
前記フィラーゴムの先端部と後端部の端面同士を突き合わせた後、回転支持体による回転に伴って、前記フィラーゴムの後端部側の基部両側を前記圧着ロールにより押圧して前記ビードコアの外周面に貼り付けるとともに、前記突き合わせによるジョイント部を含む前記フィラーゴムを一対の挟圧ロールの間を通して両側から挟圧して整形する。これにより突き合わせによるジョイント部を所定の厚みに整形でき、余分なゴムのはみ出しを生じさせずにジョイントすることができる。【００１８】
前記ビードコアとしては、スチール製のワイヤを複数回巻回して形成したコア本体の外周に、繊維製シートを包被せしめたものを用いることができる。【００１９】
さらに、本発明は、前記のタイヤ用ビードの製造方法の実施に使用する製造装置として、１個ずつ供給されるリング状の前記ビードコアをその内周より支持して回転する回転支持体と、断面三角状に押出し成形されて長尺で供給される前記フィラーゴムを、前記回転支持体に支持されたビードコアの外周面における貼り付け開始の基準位置に対し接線方向に立状姿勢で送り込むための送り込み装置と、前記ビードコア外周面の基準位置において、送り込まれる前記フィラーゴムの基部両側を回転支持体による回転に合わせて前記ビードコアの外周面に対し押圧して貼り付ける一対の圧着ロールと、前記フィラーゴムの先端部が前記基準位置から１周未満の所定の回転角度位置に達して前記回転支持体による回転が停止したときに、前記ビードコアの外周面に貼り付けられたフィラーゴムの先端部近傍を両側から挟持する第１の挟持手段と、前記送り込み装置の送り方向前方において、前記ビードコア外周の１周分に相当する長さの後端部近傍を両側から挟持する第２の挟持手段と、前記第２の挟持手段より前記送り込み装置の側で該フィラーゴムを前記一周相当長さに切断する切断装置とを備え、前記第２の挟持手段は、切断されたフィラーゴムの後端部近傍を挟持した状態で該後端部を前記ビードコア外周の前記先端部と対向させる位置に移動可能であり、また、前記第１の挟持手段と前記第２の挟持手段との少なくとも一方は、前記対向状態の位置から他方側へ変位可能であり、この変位作用により、前記フィラーゴムの先端部と後端部の端面同士を突き合わせてジョイントするように設けられてなることを特徴とする。【００２０】
この装置によれば、前記ビードコアを回転支持体により支持した状態で回転させて、前記長尺の断面三角状のフィラーゴムをビードコア外周面に対し立状姿勢に保持して貼り付けながら、先端部と後端部とを確実に突き合わせてジョイントすることができる。【００２１】
特に、前記フィラーゴムの先端部近傍を挟持する第１の挟持手段は、前記ビードコアの外周面に対する巻き付けにより回転方向後方側へ傾斜する前記フィラーゴムの先端部をその傾斜に対応した方向で挟持するように設けられるとともに、前記ビードコアの内周近傍の支点軸部を中心にして、前記フィラーゴムの外縁側ほど大きく引き延ばすように他方側に回動変位可能に設けられているものとする。これにより、ジョイント部の外縁側で割れを生じさせることなく確実にジョイントすることができる。【００２２】
前記の製造装置において、前記フィラーゴムの先端部が前記基準位置から１周未満の所定の回転角度位置に達したときに、これを検知するセンサを備え、該センサによる前記先端部の検知信号に基づいて前記回転支持体の回転を停止させるように構成されてなるものとすることができる。【００２３】
また、前記フィラーゴムの先端部近傍を挟持する第１の挟持手段が、前記基準位置から１周未満で２７０°以上の回転角度位置にあり、前記回転支持体の回転停止時に、挟持動作を行って前記フィラーゴムの先端部近傍を挟持するように設けられてなるものが好ましい。これにより、フィラーゴムを前記２７０°以上の１周に近い回転角度分を巻き付けた状態において、該フィラーゴムの切断された後端部を先端部との対向位置に移送して対向させかつ突き合わせてジョイントすることができ、フィラーゴムの貼り付けを効率よく行うことができる。【００２４】
前記基準位置の圧着ローラより回転方向やや前方側に、前記突き合わせによるジョイント部を含む前記フィラーゴムを両側より挟圧する一対の挟圧ローラが設けられてなるものが好ましい。これにより、フィラーゴム全体をビードコア外周面に対し立状姿勢に保持した状態で整形できるとともに、先端部と後端部の端面同士の突き合わせにより外側にはみ出したゴムを挟圧して所定の形状に整形できる。
【発明の効果】
【００２５】
上記したように本発明のタイヤ用ビードの製造方法及び製造装置によれば、断面三角状に押出成形されるフィラーゴムを、ビードコアの外周面に対し立状姿勢に保持して貼り付け、かつ切断された先端部と後端部の端面同士を確実に突き合わせてジョイントすることができる。しかも、こうして製造されたビードは、タイヤ成型に使用するまでの取り扱いにおいて、前記突き合わせによるジョイント部に割れが生じる虞もない。また、これにより、タイヤ用ビードの製造能率を向上できることにもなる。
【発明を実施するための最良の形態】
【００２６】
次に本発明の実施の形態を図面に示す実施例に基づいて説明する。【００２７】
図１は、本発明のビード製造装置の概略正面図、図２は同上の概略平面図である。図３は回転支持体を中心とする貼り付け装置部の概略正面図、図４は回転支持体の縦断面図である。図５はフィラーゴムの送り込み装置部分の送り込み方向に対し側方からの正面図、図６は同送り込み装置部分の平面図、図７及び図８はそれぞれ図６におけるVII−VII線及びVIII−VIII線の断面図である。図９は圧着ローラ部分の側面図、図１０はフィラーゴムの圧着状態の部分拡大説明図である。図１１は第１の挟持手段と第２の挟持手段の支持状態を示す正面図、図１２は第１の挟持手段の部分の側面図、図１３は同上の平面図、図１４は第２の挟持手段の部分の側面図、図１５は同上の平面図、図１６はフィラーゴムの突き合わせによるジョイント状態の説明図である。図１７は挟圧ロール部分の側面図、図１８は同上の一部の平面図である。【００２８】
図１及び図２において、１は本発明に係るビード製造装置ＡにおけるフィラーゴムＦの貼り付け装置部、２はリング状のビードコアＣの供給部、３はフィラーゴムＦの供給部である。【００２９】
前記ビードコアＣは、スチール製のワイヤをリング状に巻回して主として断面四角形（断面六角形や八角形の場合もある）に積層形成したものである。ビードコアＣとしては、図１９のように、ワイヤＷの積層体の表面にメッシュ状等の薄い繊維シートＳを包被したビードコアＣの場合もある。前記ビードコアＣは、前記供給部２から適宜の搬送手段４により１個ずつ係止されて搬送され、前記貼り付け装置部１の後述する回転支持体１０に対し供給される。従って、前記搬送手段４は、前記供給部２から前記ビードコアＣを１個ずつ受け取り、かつ、受け取った１個のビードコアＣを前記回転支持体の前方に移送して、前記回転支持体１０に対し受け渡す機能を有する。【００３０】
前記フィラーゴムＦは、製造対象のビードに応じた断面三角状、特には縦長三角状の帯状をなすものであり、通常、前記供給部３に備える押出機５より連続して押出し成形されて、フェスツーン装置６及び複数のガイドローラを備える走行ガイド部分７を介して前記貼り付け装置１への送り込み装置２０の部分に供給される。特に、横倒状態で押し出されたフィラーゴムＦは、前記走行ガイド部分７で漸次姿勢が変化して前記送り込み装置２０の部分では略直立状の姿勢をなして供給される。【００３１】
貼り付け装置部１に備える回転支持体１０は、前記フィラーゴムＦの貼り付けサイクルに合わせて前記搬送手段４により１個ずつ供給されるリング状の前記ビードコアＣを内側から支持するものである。【００３２】
図３及び図４に示すように、前記回転支持体１０は次のような構成を備えている。【００３３】
前記回転支持体１０は、中空の回転軸１１を中心にしてドーナツ状円板を４分割してなる取付板１２を配し、各取付板１２の外周に沿って円弧状の支持部１３が取設されており、該支持部１３の外側面には前記ビードコアＣの内周側が嵌合する断面Ｕ形の溝１３ａが形成されており、ビードコアＣの内周側を前記溝１３ａに嵌合した状態で内側から支持できるようになっている。【００３４】
前記各取付板１２は、その裏面に有するガイド部１２ａが前記回転軸１１の前側端部に有するフランジ状の取付板１１ａの前面に有する径方向のガイド部材１１ｂに対し径方向にスライド可能に係合して離脱しないように支持されるとともに、前記回転軸１１の内孔部に軸方向に摺動可能に貫設された拡縮用の作動軸１４に、リンク部材１５を介して連接され、該作動軸１４の進退作用により径方向に拡縮動作するように設けられている。これにより、前記支持部１３に対し前記ビードコアＣを適宜係脱でき、かつビードコアＣの内径の変更に対応できるようになっている。１６は前記作動軸１４を進退させるシリンダー装置、１７は前記回転軸１１とベルト等の回転伝達手段１８により連結された駆動用のモータであり、該モータ１７の回転駆動により前記回転支持体１０を回転させることができるようになっている。【００３５】
前記回転支持体１０を回転可能に支持する支持フレーム１９は、シリンダー装置等の進退手段あるいはジャッキ等の昇降手段により（図示せず）、装置フレーム８に対して上下動可能に設けられており、この支持フレーム１９の上下動により、前記回転支持体１０を製造対象のビード径に応じて高さ調整できるようになっている。前記駆動用モータ１７は前記回転支持体１０の支持フレーム１９に取り付けられ支持されている。【００３６】
前記フィラーゴムＦの送り込み装置２０は、図５〜図８に示すように、該装置の支持フレーム２１が、前記フィラーゴムＦの送り込み方向に平行に配されたフレーム９に対しその長手方向（送り方向）に延びるリニアガイド部２２を介して移動可能に係合して支持されており、次のような構成を備えている。【００３７】
前記走行ガイド部分７を経て立状姿勢で供給される前記フィラーゴムＦを送り込み方向に送行可能に上載できる送り台２３を備えている。この送り台２３は、板状フレーム２３ａの上面に前記フィラーゴムＦが通過できる間隔を保有して該通過部の両側にガイド板２４，２４が立設され、さらに、前記両ガイド板２４，２４間に、板状フレーム２３ａ上を摺動して送り方向に回動する無端のベルト２３ｂが配されてなり、前記ベルト２３ｂの回動により前記フィラーゴムＦを一定の速度で送り出せるように設けられている。この送り台２３は、前記支持フレーム２１に対し前記移動方向に延びるリニアガイド部２５及びラック機構部２６を介して係合連結され、水平を保持するように支持されるとともに、前記支持フレーム２１と共に移動するように設けられている。【００３８】
さらに、前記両ガイド板２４、２４に有する長手方向に延びる長孔状の切欠窓２４ａ，２４ａを通して前記フィラーゴムＦを両側から挟持できる一対の挟持部材２７，２７が設けられている。この挟持部材２７，２７はエアチャック機構部２８を介してブラケット２９に取付けられて支持されており、前記エアチャック機構部２８の作動によりフィラーゴムの切断時及び先端送り込み時等の必要時に挟持動作するように設けられている。前記ブラケット２９は、前記支持フレーム２１に対しリニアガイド部３０を介して移動可能に係合連結されて支持されている。【００３９】
３１は前記フレーム９に取り付けられ前記支持フレーム２１に連結されたシリンダー装置であり、該シリンダー装置３１の作動により支持フレーム２１上の送り込み装置２０の全体がフィラーゴムＦの送り込み方向に進退移動する。３２は前記支持フレーム２１に取り付けられ前記ブラケット２９に連結されたシリンダー装置であり、該シリンダー装置３２の作動により、前記挟持部材２７，２７を支持するブラケット２９が前記支持フレーム２１に対して前記送り込み方向に進退移動する。【００４０】
３３は前記ベルト２３ｂの駆動用伝達軸であり、該伝達軸３３がタイミングプーリー３４，３５に掛架されたタイミングベルト３６を介して駆動用のモータ３７と連結されている。前記支持フレーム２１及び前記ブラケット２９の移動時に前記タイミングベルト３６をベルト受け３８との間に挟み込む押圧手段３９が設けられており、これにより、前記支持フレーム２１及び前記ブラケット２９の移動のタイミングと前記ベルト２３ｂの送りとのタイミングとを合わせるように設けられている。【００４１】
前記シリンダー装置３１及び３２の作動による前記支持フレーム２１及びブラケット２９の移動により、前記送り台２３上の前記両ガイド板２４，２４間で挟持部材２７，２７により挟持したフィラーゴムＦの先端部Ｆ１を、前記回転支持体１０に支持されたビードコアＣの外周面における貼り付け開始の基準位置Ｐ１、図の場合は、前記のように支持されたビードコアＣの最上部に設定される基準位置Ｐ１に対して送り込むように構成されている。【００４２】
すなわち、まず支持フレーム２１の移動により前記送り台２３及び挟持部材２７，２７を含む全体を進出させ、次にブラケット２９を前記支持フレーム２１よりさらに進出移動させて前記挟持部材２７を進出させることにより、該挟持部材２７，２７で挟持した前記フィラーゴムＦの先端部Ｆ１を、前記回転支持体１０上のビードコアＣの外周における基準位置Ｐ１に送り込めるように設定されている。この送り込みの後は、前記挟持部材２７，２７の挟持動作を解除して元の位置に復帰する。【００４３】
前記回転支持体１０に支持されたビードコアＣの外周面における貼り付け開始の基準位置Ｐ１の上部には、前記のように送り込まれる前記フィラーゴムＦの基部両側を回転支持体１０による回転に合わせて前記ビードコアＣの外周面に対し押圧して貼り付ける昇降可能な一対の圧着ローラ４０ａ，４０ｂを有する圧着ローラユニット４０が設けられている。【００４４】
前記圧着ローラ４０ａ，４０ｂは、図３及び図９のように、それぞれ円板形のローラ板４１、４１が、前記回転支持体１０の正面側より見て前後に前記フィラーゴムＦを挟持した状態の挟持部材２７，２７が進入できる間隔をおいて、かつ前記回転支持体１０の支持部１３上のビードコアＣに対向する下端側ほど間隔が狭くなるように傾斜して取付部材４２，４２に回転自在に軸支されてなる。前記取付部材４２，４２は、ねじ軸４３の回転により間隔調整可能な支持部材４４，４４に角度調整可能に取り付けられており、前記ローラ板４１，４１の傾斜角度及び間隔を調整できるように支持されている。これにより、両ローラ板４１，４１の下端部の間隔や傾斜をフィラーゴムＦの厚みやビードコアＣの幅に応じて調整でき、図１０のように前記フィラーゴムＦの基部両側を前記ビードコアＣに対し押圧し圧着できるようになっている。４６は前記支持部材４４，４４を昇降用の支持ブラケット４５に対しスライド移動可能に支持するリニアガイド部である。【００４５】
前記支持ブラケット４５には、縦方向の装置フレーム８に対しリニアガイド部４７を介して昇降可能に支持されるとともに、該支持ブラケット４５の上部に昇降用のシリンダー装置４８が連結されており、該シリンダー装置４８の作動で前記支持ブラケット４５が上下動することにより、前記圧着ローラ４０ａ，４０ｂが前記フィラーゴムＦの基部両側を押圧する位置と、前記フィラーゴムＦの送り込み位置より上方に待避する位置との間で上下動するように設けられている。これにより、前記ビードコアＣの供給セット時及びフィラーゴムＦの貼り付け後の完成したビードを取り出す際には、前記圧着ローラ４０ａ，４０ｂを鎖線のように上方に待避させておくことができるようになっている。【００４６】
そして、前記フィラーゴムＦの先端部Ｆ１と切断された後端部Ｆ２を対向させて突き合わせによりジョイントするために、図１１のように、前記回転支持体１０の周辺には、前記ビードコアＣの外周面に貼り付けられたフィラーゴムＦの先端部近傍を挟持する第１の挟持手段５０と、ビードコア外周の１周分に相当する所定長さに切断されるフィラーゴムＦの後端部近傍を挟持する第２の挟持手段７０とが設けられている。前記第２の移動手段７０は、切断されたフィラーゴムＦの後端部Ｆ２をビードコア外周の前記先端部Ｆ１と対向させる位置（図１１の鎖線の位置）へ移動できるように構成されている。また、前記両挟持手段の一方、例えば前記第１の挟持手段５０は、これに対向する前記第２の挟持手段７０の側へ変位可能に構成されている（図１１の鎖線）。【００４７】
前記第１の挟持手段５０及び第２の挟持手段７０は、それぞれ前記回転支持体１０による回転が停止しているときに挟持動作を行うように構成される。そのため、前記第１の挟持手段５０の近傍には、前記フィラーゴムＦの先端部Ｆ１が前記基準位置Ｐ１から前記の所定の回転角度位置に達したときに、これを検知するセンサ５１を備えており、該センサ５１による前記先端部Ｆ１の検知信号に基づいて、前記回転支持体１０の駆動用モータ１７による回転を停止させるように構成されている。そして、前記第１の挟持手段５０及び第２の挟持手段７０は、それぞれ前記の回転停止と同時に挟持動作を行うように構成されている。さらに、第２の挟持手段７０については、前記の挟持状態で後述する切断装置８０により後端部Ｆ２を切断した後、前記後端部Ｆ２をビードコアＣ上の先端部Ｆ１との対向させる位置に移動するように制御され、また第１の挟持手段５０については、先端部Ｆ１の近傍を挟持した後、前記第２挟持手段７０の移動後に前記第２の挟持手段７０の側に変位動作するように制御される。【００４８】
前記第１の挟持手段５０は、前記回転支持体１０のフィラーゴム巻き付けのための回転方向における前記基準位置Ｐ１から１周未満の所定の回転角度位置、好ましくは前記基準位置Ｐ１から２７０°を超えてかつ１周未満の回転角度位置、特に好ましくは２７０°〜３１５°の回転角度範囲の位置にあって、前記フィラーゴムＦの先端部Ｆ１の若干長さ分（好ましくは５〜１５ｍｍ程度）を突出状に余して該先端部Ｆ１の近傍を両側から挟持するように設けられている。【００４９】
図示する実施例の場合、前記第１の挟持手段５０は、開閉可能な一対の挟持部材５０ａ，５０ｂを有してなり、次のように構成されている。【００５０】
前記回転支持体１０によるビードコアＣの支持位置より後方で装置フレーム８に対し支承軸５２により軸支されたベースプレート５３が設けられている。このベースプレート５３の前記ビードコアＣの内側近傍位置に設定された支点軸部５４にスイングアーム５５が回動可能に取付られ、該スイングアーム５５より前方に突出する取付板５６に、前記一対の挟持部材５０ａ，５０ｂのうちの一方、例えば挟持部材５０ａが前記ビードコアＣに貼り付けられた立状姿勢のフィラーゴムＦと平行に取り付けられている。他方の挟持部材５０ｂは、前記一方の挟持部材５０ａに対し回動可能に軸支連結されるとともに、該挟持部材５０ｂと一体に設けられたピニオン５７に、シリンダー装置５８により進退するラック５９が噛み合わされており、該ラック５８の進退運動により、該挟持部材５０ｂが前記一方の挟持部材５０ａに対し開閉する方向に回動して、前記一方の挟持部材５０ａとの間に前記フィラーゴムＦを挟持するように設けられている。他方の挟持部材５０ｂは、挟持動作時以外は前記フィラーゴムＦの外方に保持されており、回転支持体１０に対するビードコアＣのセット作業及びビード取り出しを可能にしている。図中の６０は前記フィラーゴムＦを前記両挟持部材５０ａ，５０ｂ間に送り込むためのガイドローラである。【００５１】
前記挟持部材５０ａ，５０ｂは、前記ビードコアＣの外周面に巻き付けられるフィラーゴムＦの先端部Ｆ１の傾斜を考慮して、図のように、前記ビードコアＣの外周面に対し外方ほど回転方向後方に傾斜して設けられている。すなわち、前記回転支持体１０の回転に伴って前記ビードコアＣの外周面に巻き付けられるフィラーゴムＦは、外縁側ほど回転方向後方に引っ張られることで、先端部Ｆ１がコア外周面に対して回転方向後方に傾斜した状態になる。そのため、前記挟持部材５０ａ，５０ｂは、前記フィラーゴムＦの先端部Ｆ１の傾斜を考慮して、該先端部Ｆ１をその傾斜に対応した方向で挟持できるように設けられている。【００５２】
前記第１の挟持手段５０は、フィラーゴムＦの先端部Ｆ１の近傍を挟持した状態で、これに対向する位置に移動した前記第２の挟持手段７０の側へ変位動作させる手段として、前記挟持部材５０ａ及び５０ｂを支持する前記スイングアーム５５にシリンダー装置６１が連結され、該シリンダー装置６１の作動により前記支点軸部５４を中心とする前記スイングアーム５５の回動することにより、前記挟持部材５０ａ，５０ｂが前記支持軸部５４を中心として回動変位するように設けられている。これにより、前記フィラーゴムＦの先端部Ｆ１を、前記ビードコアＣの外周面に対して回転方向後方に傾斜した状態から、フィラーゴムの外縁側ほど大きく引き延ばすようにして、後述する後端部Ｆ２との突き合わせ位置では、図１１の鎖線及び図１６のように前記コア外周面に対し略直角の状態にさせることができるようになっている。【００５３】
なお、前記ベースプレート５３は、その下端部に連結されたシリンダー装置６２の作動により、前記支承軸５２を中心として回動可能に支持されており、これにより、該ベースプレート５３の支持位置、ひいては該ベースプレート５３上の前記第１の挟持手段５０の位置、スイングアーム５５の支点軸部５４の位置、センサ５１の位置等を、回転支持体１０に支持されるビードコアＣのサイズ（径）等に応じて調整できるように設けられている。【００５４】
また、前記第２の挟持手段７０は、前記送り込み装置２０の送り方向前方で前記基準位置Ｐ１までの間の位置において、ビードコア外周の１周分に相当する所定長さに切断される前記フィラーゴムＦの後端部Ｆ２の若干長さ分（好ましくは５〜１５ｍｍ程度）を突出状に余して該後端部Ｆ２の近傍を両側から挟持するように設けられている。すなわち、後述する切断装置８０により切断された時に前記後端部Ｆ２の若干長さ分が突出状をなすように挟持される。【００５５】
前記第２の挟持手段７０は、一対の挟持部材７０ａ，７０ｂを有してなり、このうち一方の挟持部材７０ａが前記のように送り込み装置２０から前記基準位置Ｐ１に送り込まれるフィラーゴムＦの側面に沿って上下方向に配されている。他方の挟持部材７０ｂは、送り込まれる前記フィラーゴムＦの上方において前記一方の挟持部材７０ａに対し回動可能に軸支連結され、該挟持部材７０ｂと一体に設けられたピニオン７１に、シリンダー装置７２により進退するラック７３が噛み合わされており、該ラック７３の進退運動により、該挟持部材７０ｂが前記一方の挟持部材７０ａに対し開閉する方向に回動して、前記一方の挟持部材７０ａとの間に前記フィラーゴムＦを挟持するように設けられている。【００５６】
また、前記一方の挟持部材７０ａは、アーム部材７４を介して前記支承軸５２に連結されて支持されており、両挟持部材７０ａ，７０ｂによるフィラーゴムＦの前記後端部Ｆ２を挟持した状態において、該支承軸５２を中心に回動することにより、前記後端部Ｆ２を前記回転支持体１０上のビードコアＣに貼り付けられた先端部Ｆ１との対向させる位置（図１１の鎖線）に移動できるように設けられている。この移動のために、アーム部材７４を支持する支承軸５２は、前記ベースプレート５３の後方において径方向の突出部にシリンダー装置７５が連結され、該シリンダー装置７５の作動により前記支承軸５２が回転するのに伴って前記アーム部材７４が回動し、前記両挟持部材７０ａ，７０ｂを前記挟持動作した位置からビードコアＣ上の前記対向位置へ移動するようになっている。【００５７】
さらに、前記挟持部材７０ａ，７０ｂによる挟持動作位置より送り込み装置２０側の上方に前記のように送り込まれるフィラーゴムＦを切断する切断装置８０が設けられている。この切断装置８０は、カッター刃８１が、通常時は、前記のように送り込まれるフィラーゴムＦより上方にあって、前記送り込み装置２０によるフィラーゴムＦの送り込みの邪魔にならないように保持されるとともに、前記第２の挟持手段７０による挟持動作の後に、該カッター刃８１がシリンダー装置等の作動により降下することにより、前記フィラーゴムＦを切断するように設けられている。この切断装置８０による切断位置は、前記回転支持体により支持されたビードコアＣ上の貼り付け開始の基準位置Ｐ１から前記切断位置までの長さが、前記ビードコアの外周上において前記第１の挟持手段５０により挟持したフィラーゴムＦの先端部Ｆ１から前記基準位置Ｐ１までの距離あるいは前記ビードコアの外周上での前記先端部と後端部の突き合わせ位置から前記基準位置までの距離に略相当するように設定される。【００５８】
また、前記圧着ローラ４０ａ，４０ｂより回転方向のやや前方位置には、図３及び図１７，図１８のように、前記ビードコアＣの外周面に貼り付けられたフィラーゴムＦを両側から挟圧し整形する一対の挟圧ローラ９０ａ，９０ｂを有する挟圧ローラユニット９０が設けられている。前記挟圧ローラ９０ａ，９０ｂの一方、すなわち装置正面（回転支持体の正面）見て前記フィラーゴムＦの背部側に位置する挟圧ローラ９０ａは、前記フィラーゴムＦの背部側の側面に沿って装置フレーム８に取着されたブラケット９１に取付られた支軸９２によりビードコアの外周面に対し直交する方向に支持されて回転可能に設けられている。図示する実施例の場合、前記挟圧ローラ９０ａは、そのローラ体９３が支軸９２に対し偏心カムローラ９４を介して設けられ、該カムローラ９４の回転により前記フィラーゴムＦの側面に対し接近あるいは離反可能に支持され、挟圧作用時以外は前記フィラーゴムＦから離しておけるようになっている（図１８）。９５は前記カムローラ９４に連結したシリンダー装置であり、該シリンダー装置９５の作動により、前記カムローラ９４が回転するようになっている。【００５９】
また、他方の挟圧ローラ９０ｂは前記ブラケット９１に回動可能に軸支されたアーム９６に軸部９７が取り付けられており、前記アーム９６がこれに連結されたシリンダー装置９８の作動により、前記一方の挟圧ローラ９０ａに対し開閉可能に設けられており、前記フィラーゴムの貼り付け時には、前記挟圧ローラ９０ｂは前記フィラーゴムＦの側面と対接する位置（図１７の実線の状態）にあり、ビードコアの供給セット時及びフィラーゴム貼り付け後のビード取り出しの際は、図１７の鎖線の状態にできるように構成されている。【００６０】
なお、前記回転支持体１０の周囲には、必要に応じて、ビートコアＣに対し立状姿勢で貼り付けられる前記フィラーゴムＦの倒れを規制するガイドローラが適当な間隔で配される（図示せず）。【００６１】
上記の装置を使用して、ビードコアにフィラーゴムを貼り付けタイヤ用ビードを製造する方法について説明する。【００６２】
図１及び図２のように、押出機５から断面三角状に連続して押出成形されるフィラーゴムＦは、空冷式のフェスツーン装置６を経て徐々に立状姿勢に変換しながら、貼り付け装置部１への送り込み装置２０の部分に給送される。一方、リング状のビードコアＣは、ビードコアの供給部２から、該ビードコアＣを係止状態に保持して搬送できる搬送手段４により、貼り付け装置部１の前方に送られ、該搬送手段４から前記貼り付け装置部１の回転支持体１０に送られ、該回転支持体１０に有する支持部材１３により内側から係止され保持される。【００６３】
この状態において、図２０Ａのように、前記送り込み装置２０に給送されて両側のガイド板２４，２４の間に挟まれたフィラーゴムＦは、ガイド板２４，２４の切欠窓２４ａの部分で挟持部材２７，２７により挟持されて待機している。この状態で送り込み装置２０の支持フレーム２１がシリンダー装置３１の作動により前記回転支持体１０の貼り付け開始の基準位置Ｐ１に向かって進出する。この進出により、前記ガイド板２４及び挟持部材２７，２７が前記基準位置Ｐ１に近づき、さらに前記挟持部材２７，２７を支持するブラケット２９が進出することにより、前記フィラーゴムＦの先端部Ｆ１が回転支持体１０に支持されたビードコアＣの外周面の頂部に設定された基準位置Ｐ１に立状姿勢で送り込まれ（図２０Ｂ）、この送り込みと同時に前記挟持部材２７による挟持作用が解除される。【００６４】
このとき、前記基準位置Ｐ１には、一対の圧着ローラ４０ａ，４０ｂを有する圧着ローラユニット４０が降下して前記ビードコアＣに当接する圧着位置にあり、そのため、前記のフィラーゴムＦの先端部Ｆ１が送り込まれるのと同時に、前記圧着ローラ４０ａ，４０ｂにより基部両側がビードコアＣに向かって圧着され貼り付けられる。なお、このとき、切断装置８０及び切断される後端部Ｆ２の近傍を挟持する第２の挟持手段７０は、前記送り込み装置２０の進出及びフィラーゴムＦの送り込みの邪魔にならない上方あるいは後方の位置に待避している。【００６５】
前記のようにして、前記回転支持体１０の回転に伴い、該回転支持体１０の外周に支持されたビードコアＣの外周面に立状姿勢に保持した状態で巻き付けながら基部両側を圧着ローラ４０ａ，４０ｂによりビードコアＣに対し圧着し貼り付ける（図２０Ｃ）。この貼り付け中に、前記送り込み装置２０及び挟持部材２７が元の位置に復帰する。【００６６】
そして、前記フィラーゴムＦの先端部Ｆ１が所定の回転角度位置に達したとき、これをセンサ５１により検知して、前記先端部Ｆ１が第１の挟持手段５０による挟持位置より僅かに進んだ位置で回転を停止する）。これと同時に、前記第１の挟持手段５０のシリンダー装置５９の作動により挟持動作を行い、両挟持部材５０ａ，５０ｂにより前記先端部Ｆ１の近傍を両側より挟持する（図２０Ｄ）。特に、第１の挟持手段５０は、コア外周面に対して回転方向後方に傾斜した状態になっている前記先端部Ｆ１を、その傾斜に対応した方向で挟持する。【００６７】
また、前記送り込み装置２０から前記基準位置Ｐ１への送り込み側では、前進位置にあった前記送り込み装置２０および挟持部材２７，２７がそれぞれ元の位置に復帰している。この状態で、前記台２の挟持手段７０がフィラーゴムＦの近接位置に移動してシリンダー装置７２の作動により挟持動作を行い、両挟持部材７０ａ，７０ｂにより前記フィラーゴムＦの切断されることで後端部Ｆ２になる部分の近傍を挟持する。同時に前記送り込み装置２０の挟持部材２７，２７についても、両ガイド板２４，２４間の前記フィラーゴムＦを再度挟持動作させる。【００６８】
前記の挟持作用が完了すると、前記切断装置８０のカッター刃８１が降下し、前記第２の挟持手段７０により挟持されたフィラーゴムＦを、先端部Ｆ１からコア外周の１周分に相当する長さの個所で切断する（図２０Ｅ）。切断作用が完了すると、前記第２の挟持手段７０が、前記フィラーゴムＦの切断されたフィラーゴムＦの後端部Ｆ２の近傍を挟持した状態で、シリンダー装置７５の作動による前記アーム部材７４の回動により前記挟持位置からビードコアＣ上の前記先端部Ｆ１との対向位置へ移動する。このとき、前記フィラーゴムＦの外縁側を引き延ばすようにして、前記後端部Ｆ２がコア外周面に対し略直角の状態になるように移動させる。【００６９】
これにより、前記フィラーゴムＦの先端部Ｆ１と後端部Ｆ２とは、前記ビードコアＣの外周上で第１の挟持手段５０及び第２の挟持手段７０より若干突出した状態で対向する（図２０Ｅの鎖線）。この状態において、前記第１の挟持手段５０が、シリンダー装置６１の作動によりスイングアーム５５の回動により、第２の挟持手段７０の側へ回動変位し、これに伴って、フィラーゴムＦの外縁側ほど大きく引き延ばされて、前記先端部Ｆ１が、前記ビードコアＣの外周面に対して回転方向後方に傾斜した状態から、コア外周面に対し略直角の状態になって、前記第２の挟持手段７０で挟持されている後端部Ｆ２と突き合わされ、その結果、該先端部Ｆ１と後端部Ｆ２とがジョイントされる（図２０Ｆ）。【００７０】
この後、前記第１の挟持手段５０および第２の挟持手段７０が、挟持作用を解除して元の位置に戻ると、前記回転支持体１０が再度回転し、前記フィラーゴムＦの後端部Ｆ２側の基部両側を前記圧着ロール４０ａ，４０ｂにより押圧して前記ビードコアＣの外周面に貼り付けるとともに、前記突き合わせによるジョイント部Ｊを含む前記フィラーゴムＦを一対の挟圧ロール９０ａ，９０ｂの間を通して両側から挟圧して整形する。これにより、突き合わせによるジョイント部Ｊを所定の厚みに整形できる。【００７１】
このあと、前記圧着ローラ４０ａ，４０ｂが前記フィラーゴムＦを圧着する位置から上昇し、さらに挟圧ローラ９０ａ，９０ｂによる挟圧が解除されると（図２０Ｇ）、回転支持体１０の支持部材１３が縮径して、ビードコアＣにフィラーゴムＦが貼り付けられた図２１のようなビードＢが前記回転支持体１０から取り出される。【００７２】
このようにして、ビードコアＣの外周面に対しフィラーゴムＦを立状姿勢で送り込んで立状姿勢のまま巻き付け貼り付けながら、先端部Ｆ１と後端部Ｆ２とを突き合わせにより過度の重なりやゴム不足を生じさせることなく確実にジョイントすることができ、ビードコアＣにフィラーゴムＦを貼り付けたビードＢを能率よく製造でき、ビードの製造を自動化できることにもなる。【００７３】
また、突き合わせによるジョイント部において、ゴム不足や過剰なゴムの重なりが生じないことになり、ジョイント部に割れを生じさせる虞がなく、又ゴムのはみ出しも生じず、重量バランスのよいビードを得ることができる。
【産業上の利用可能性】
【００７４】
本発明のタイヤ用ビードの製造方法及び装置は、ワイヤをリング状に巻回して断面角状に積層成形したビードコアの外周面に対し、押出成形された断面三角状のフィラーゴムを、前記外周面に対し立状姿勢に保持した状態で貼り付けて、ビードを製造するのに好適に利用できる。
【図面の簡単な説明】
【００７５】
【図１】本発明のビード製造装置の概略正面図である。
【図２】同上の概略平面図である。
【図３】回転支持体を中心とする貼り付け装置部の概略正面図である。
【図４】回転支持体の縦断面図である。
【図５】フィラーゴムの送り込み装置部分の送り込み方向に対し側方からの正面図である。
【図６】同送り込み装置部分の平面図である。
【図７】図６におけるVII−VII線の断面図である。
【図８】図６におけるVIII−VIII線の断面図である。
【図９】圧着ローラ部分の側面図である。
【図１０】フィラーゴムの圧着状態の部分拡大説明図である。
【図１１】第１の挟持手段と第２の挟持手段の支持状態を示す正面図である。
【図１２】第１の挟持手段の部分の側面図である。
【図１３】同上の平面図である。
【図１４】第２の挟持手段の部分の側面図である。
【図１５】同上の平面図である。
【図１６】フィラーゴムの突き合わせによるジョイント状態の説明図である。
【図１７】挟圧ロール部分の側面図である。
【図１８】同上の一部の平面図である。
【図１９】ビードコアの１例を示す断面図である。
【図２０Ａ】ビードコアに対するフィラーゴムの貼り付け状態の説明図である。
【図２０Ｂ】ビードコアに対するフィラーゴムの貼り付け状態の説明図である。
【図２０Ｃ】ビードコアに対するフィラーゴムの貼り付け状態の説明図である。
【図２０Ｄ】ビードコアに対するフィラーゴムの貼り付け状態の説明図である。
【図２０Ｅ】ビードコアに対するフィラーゴムの貼り付け状態の説明図である。
【図２０Ｆ】ビードコアに対するフィラーゴムの貼り付け状態の説明図である。
【図２０Ｇ】ビードコアに対するフィラーゴムの貼り付け状態の説明図である。
【図２１】タイヤ用ビードの一部を切欠した斜視図である。
【図２２】タイヤ用ビードのビードコアに対するフィラーゴムの巻き付け状態の説明図である。
【符号の説明】
【００７６】
Ｂ…タイヤ用ビード、Ｃ…ビードコア、Ｆ…フィラーゴム、Ｆ１…フィラーゴムの先端部、Ｆ２…フィラーゴムの後端部、Ｊ…ジョイント部、Ｐ１…基準位置、Ｗ…ワイヤ、１…貼り付け装置部、２…ビードコアの供給部、３…フィラーゴムの供給部、４…搬送手段、５…押出機、６…フェスツーン装置、７…走行ガイド部分、８…装置フレーム、９…水平のフレーム、１０…回転支持体、１１…中空の回転軸、１１ａ…フランジ状の取付板、１１ｂ…ガイド部材、１２…取付板、１２ａ…ガイド部、１３ａ…溝、１３…支持部材、１４…作動軸、１５…リンク部材、１６…シリンダー装置、１７…駆動用のモータ、１８…回転伝達手段、１９…支持フレーム、２０…送り込み装置、２１…支持フレーム、２２…リニアガイド部、２３…送り台、２３ａ…板状フレーム、２３ｂ…タイミングベルト、２４…ガイド板、２４ａ…切欠窓、２５…リニアガイド部、２６…ラック機構部、２７…挟持部材、２８…エアチャック機構部、２９…ブラケット、３０…リニアガイド部、３１…シリンダー装置、３２…シリンダー装置、３３…駆動用伝達軸、３４，３５…タイミングプーリー、３６…タイミングベルト、３７…モータ、３８…ベルト受け、３９…押圧手段、４０…圧着ローラユニット、４０ａ，４０ｂ…圧着ローラ、４１…ローラ板、４２…取付部材、４３…ねじ軸、４４…支持部材、４５…支持ブラケット、４６…リニアガイド部、４７…リニアガイド部、４８…シリンダー装置、５０…第１の挟持手段、５０ａ，５０ｂ…挟持部材、５１…センサ、５２…支承軸、５３…ベースプレート、５４…支点軸部、５５…スイングアーム、５６…取付板、５７…ピニオン、５８…ラック、５９…シリンダー装置、６０…ガイドローラ、６１…シリンダー装置、６２…シリンダー装置、７０…第２の挟持手段、７０ａ…挟持部材、７０ｂ…挟持部材、７１…ピニオン、７２…シリンダー装置、７３…ラック、７４…アーム部材、７５…シリンダー装置、８０…切断装置、８１…カッター刃、９０…挟圧ローラユニット、９０ａ，９０ｂ…挟圧ローラ、９１…ブラケット、９２…支軸、９３…ローラ体、９４…カムローラ、９５…シリンダー装置、９６…アーム、９７…軸部、９８…シリンダー装置。
【図１】
0004746100.tif 000002
【図２】
0004746100.tif 000003
【図３】
0004746100.tif 000004
【図４】
0004746100.tif 000005
【図５】
0004746100.tif 000006
【図６】
0004746100.tif 000007
【図７】
0004746100.tif 000008
【図８】
0004746100.tif 000009
【図９】
0004746100.tif 000010
【図１０】
0004746100.tif 000011
【図１１】
0004746100.tif 000012
【図１２】
0004746100.tif 000013
【図１３】
0004746100.tif 000014
【図１４】
0004746100.tif 000015
【図１５】
0004746100.tif 000016
【図１６】
0004746100.tif 000017
【図１７】
0004746100.tif 000018
【図１８】
0004746100.tif 000019
【図１９】
0004746100.tif 000020
【図２０Ａ】
0004746100.tif 000021
【図２０Ｂ】
0004746100.tif 000022
【図２０Ｃ】
0004746100.tif 000023
【図２０Ｄ】
0004746100.tif 000024
【図２０Ｅ】
0004746100.tif 000025
【図２０Ｆ】
0004746100.tif 000026
【図２０Ｇ】
0004746100.tif 000027
【図２１】
0004746100.tif 000028
【図２２】
0004746100.tif 000029